(57)【要約】【課題】被識別対象の光学的な特徴を光学的に読み取り識別する識別システム、及び、被識別装置、並びに、識別方法に関し、簡単な構成で、かつ、被識別体の複製が困難な識別システム、及び、被識別装置、並びに、識別方法を提供することを目的とする。【解決手段】本発明は、光を透過する透過部材（４１）に、反射物質（４２）及び／又は遮蔽物質（４３）を混入させた被識別手段（１１）に光を照射し、被識別手段（１１）を透過した光を検出し、その検出信号に基づいて被識別手段（１１）を識別することを特徴とする。【選択図】  図３
2004353193.tif 000002
【特許請求の範囲】
【請求項１】
光を透過する透過部材に、反射物質及び／又は遮蔽物質を混入させた被識別手段と、
前記被識別手段に光を照射し、前記被識別手段を透過した光を検出し、その検出信号に基づいて前記被識別手段を識別する識別装置とを有することを特徴とする識別システム。
【請求項２】
前記被識別手段は、液状の透明部材に反射物質及び／又は遮蔽物質を混入し、攪拌したものを、固化させたものであることを特徴とする請求項１記載の識別システム。
【請求項３】
前記識別装置は、前記被識別手段に光を照射する発光手段と、
前記発光手段で発光し、前記被識別手段と透過した光を検出する検出手段と、
前記検出手段の検出信号と予め登録された登録信号とを比較し、前記検出信号と前記登録信号とが一致したときに、前記被識別手段を認識する判定手段とを有することを特徴とする請求項１又は２記載の識別システム。
【請求項４】
前記被識別手段と前記識別装置との位置決めを行う位置決め手段を有することを特徴とする請求項１乃至３のいずれか一項記載の識別システム。
【請求項５】
光を透過する透過部材と、
前記透過部材に混入され、前記透過部材に入射した光を反射及び／又は遮蔽させる反射材及び／又は遮蔽材とを有することを特徴とする被識別装置。
【請求項６】
液状の透明部材に反射物質及び／又は遮蔽物質を混入し、攪拌したものを、固化させたものであることを特徴とする請求項３記載の被識別装置。
【請求項７】
光を透過する透過部材に、反射物質及び／又は遮蔽物質を混入させた被識別手段に光を照射し、
被識別手段を透過した光を検出し、
その検出信号に基づいて被識別手段を識別することを特徴とする識別方法。
【発明の詳細な説明】
【０００１】
【発明の属する技術分野】
本発明は識別システム、及び、被識別装置、並びに、識別方法に係り、特に、被識別対象の光学的な特徴を光学的に読み取り識別する識別システム、及び、被識別装置、並びに、識別方法に関する。
【０００２】
【従来の技術】
従来のロック機構としては磁気カード、ＩＣカード、網膜、虹彩、声紋、指紋など個人認証システム、機械式の鍵と錠の組み合わせのシステムがあった。また、複製を困難にするロック機構として、鍵として金属板など用い、その表面を光学的に識別することにより登録した識別記録との一致、不一致を判定し、錠を開錠するものがあった（特許文献１参照）。
【０００３】
【特許文献１】
特開平１０−３１７７４６号公報（段落番号〔００１７〕、〔００２４〕、〔００２７〕）
【０００４】
【発明が解決しようとする課題】
しかるに、従来のロック機構のうち、磁気カード、機械式の鍵などは複製が容易に作成されるなどの課題があった。
【０００５】
また、ＩＣカードなどは高価であり、容易に導入できなかった。さらに、網膜、虹彩、声紋、指紋など個人認証システムでは、比較的大規模な電子回路あるいはプログラムが必要であったり、人体の特徴を取得するための機構が大きく、また、複雑になるため、容易に導入することはできなかった。
【０００６】
さらに、金属などの表面を光学的に識別するものでは、微細なキズなどの影響を受けて、開錠が困難となり、これを回避するために大きなパターンを認識させようとすると、容易にコピーされるなどの課題があった。
【０００７】
本発明は上記の点に鑑みてなされたもので、簡単な構成で、かつ、被識別体の複製が困難な識別システム、及び、被識別装置、並びに、識別方法を提供することを目的とする。
【０００８】
【課題を解決するための手段】
本発明は、光を透過する透過部材（４１）に、反射物質（４２）及び／又は遮蔽物質（４３）を混入させた被識別手段（１１）に光を照射し、被識別手段（１１）を透過した光を検出し、その検出信号に基づいて被識別手段（１１）を識別することを特徴とする。
【０００９】
【発明の実施の形態】
図１は本発明の一実施例のシステム構成図を示す。
【００１０】
本実施例は、扉の開錠システムに、本発明の識別システムを用いた例について説明する。
【００１１】
本実施例の開錠システム１は、被識別キー１１、識別装置１２、電気錠１３から構成されている。被識別キー１１は、部屋２１への入室時などに、扉２２の近傍に設けられた識別装置１２に挿入される。識別装置１２は、被識別キー１１が挿入されると、被識別キー１１に光を照射し、その透過光を検出して、その検出信号に基づいて登録済のキーか否かを判定し、判定結果、登録済のキーであれば、電気錠１３に開錠許可を通知する。電気錠１３は、識別装置１２からの開錠許可通知に基づいて駆動され、錠を開錠する。これによって、部屋２１への入室が可能となる。
【００１２】
次に、被識別キー１１について説明する。
【００１３】
図２は被識別キー１１の構成図を示す。
【００１４】
被識別キー１１は、キー部３１、鍔部３２、ツマミ部３３から構成されている。キー部３１は、透明部材４１に反射材４２、遮蔽材４３などの小片を多数、混入し、円柱状に成形した構成とされている。透明部材４１は、例えば、透明アクリル樹脂から構成される。なお、透明部材４１は、アクリル樹脂に限定されるものではなく、ガラスなどであってもよく、要は、光を透過する材料であれば、これらの材料に限定されるものではない。反射材４２は、例えば、数ｍｍ程度のアルミニウム箔の小片や、雲母片から構成される。なお、反射材４２は、これらの材料に限定されるものではなく、光を反射する材料であれば、これらに限定されるものではない。また、遮蔽材４３は、数ｍｍ以下の粒径のカーボン粒などから構成される。なお、遮蔽材４３は、カーボン粒に限定されるものではなく、光を遮蔽する材料であれば、これに限定されるものではない。
【００１５】
キー部３１の成形方法は、まず、反射材４２及び遮蔽材４３を透明部材４１がゲル状、或いは液状の状態で、透明部材４１に混入され、攪拌される。次に、反射材４２及び遮蔽材４３を混入、攪拌させた後、透明部材４１を型に流し込み、硬化させる。
【００１６】
以上のようにして成形されたキー部３１を透過する光は、反射材４２により反射され、遮蔽材４３により遮蔽されるとともに、透明部材４１と空気との境界で屈折又は反射される。このため、透過光の強度分布は、非常に複雑なものとなる。例えば、矢印Ａ方向の透過光の強度分布は、反射材４２及び遮蔽材４３の透明部材４１内での微妙な位置や角度の違いに応じて全く異なる形態をとる。このとき、反射材４２及び遮蔽材４３は、ランダムに透明部材４１に混入され、攪拌されており、それによって成形されるキー部３１の透過光は二つとして同じものとならない。
【００１７】
また、透過光の強度分布は、同一のキー部３１であっても角度に応じても全く異なる形態となる。このため、キー部３１には、切欠部５１が設けられている。切欠部５１によりキー部３１を識別装置１２に挿入する際のキー部３１と識別装置１２との相対的な挿入方向角度が決定される。これによって、キー部３１の読取角度を常に同じにすることができ、同じキー部３１であれば、常に同じ透過光の強度分布を得ることができるように構成されている。
【００１８】
また、キー部３１の一端には、鍔部３２が固定されている。鍔部３２は、被識別キー１１を識別装置１２に挿入したときに、識別装置１２の開口部の周縁部或いは部屋２１の外壁に突き当たり、位置決めが行われるとともに、シリンダ開口を閉蓋し、不要な光がシリンダ内部に入射するのを防止している。
【００１９】
鍔部３２のキー部３１との結合側とは反対側には、ツマミ部３３が設けられている。ツマミ部３３は、被識別キー１１を識別装置１２に挿入するときに、被識別キー１１を把持するための突部である。入室者は、被識別キー１１のツマミ部３３を把持してキー部３１を識別装置１２に挿入する。
【００２０】
次に識別装置１２について説明する。
【００２１】
図３は識別装置１２の構成図を示す。
【００２２】
認識装置１２は、検出部６１及び制御部６２から構成される。
【００２３】
検出部６１は、シリンダ７１、プッシュスイッチ７２、発光ダイオードアレイ７３、リニアイメージセンサ７４、駆動回路７５、処理回路７６から構成されている。
【００２４】
シリンダ７１は、内面の一部が矢印Ａ方向に平面状とされた平面部８１を有する略円筒形状をなし、その中空部の断面形状は被識別キー１１のキー部３１の断面形状と略同じ形状とされている。シリンダ７１の平面部８１には、被識別キー１１の切欠部５１が対向する。これにより被識別キー１１は、シリンダ７１に、中心軸Ｏを中心として所定の回転角度でのみ、矢印Ａ方向に挿脱可能となる。
【００２５】
プッシュスイッチ７２は、シリンダ７１の被識別キー１１の挿入方向、矢印Ａ１方向の端面に配置されており、被識別キー１１がシリンダ７１に挿入されたときに被識別キー１１のキー部３１の端面によって押圧されて、オンする。プッシュスイッチ７２のスイッチングの状態は、制御部６２で監視している。制御部６２は、プッシュスイッチ７２がオンすることにより被識別キー１１がシリンダ６１に挿入されたことを検出できる。
【００２６】
また、シリンダ７１には、その側面に中心軸Ｏに平行に、内部に貫通する開口部８２が形成されている。開口部８２には、発光ダイオードアレイ７３が取り付けられる。発光ダイオードアレイ７３は、発光ダイオードの配列方向が矢印Ａ方向となるように開口部８２に取り付けられる。発光ダイオードアレイ７３は、駆動回路７５により駆動され、開口部８２を通してシリンダ７１の内部に光を入射する。
【００２７】
なお、駆動回路７５は、制御部６２からの指示に基づいて発光ダイオードアレイ７３に駆動信号を供給することにより、発光ダイオードアレイ７３を発光させる。
【００２８】
また、シリンダ７１には、開口部８２に対向して内部に貫通する開口部８３が形成されている。開口部８３には、リニアイメージセンサ７４が取り付けられる。リニアイメージセンサ７４は、光センサをリニアに配列した構成とされており、光センサの配列方向が矢印Ａ方向となるように開口部８３に取り付けられる。イメージセンサ７４には、被認識キー１１のキー部３１がシリンダ７１に挿入されたとき、発光ダイオードアレイ７３で発光し、キー部３１を透過した光が供給される。
【００２９】
イメージセンサ７４は、発光ダイオードアレイ７３で発光し、キー部３１を透過した光を検出し、検出信号を出力する。イメージセンサ７４から出力された検出信号は、処理回路７６に供給される。処理回路７６は、イメージセンサ７４からの検出信号のノイズ成分などを除去し、ディジタルデータに変換する。処理回路７６で変換されたディジタルデータは、制御部６２に供給される。
【００３０】
図４は制御部６２のブロック構成図を示す。
【００３１】
制御部６２は、マイコン９１、プログラムメモリ９２、メモリ９３から構成される。
【００３２】
マイコン９１の入出力ポートには、プッシュスイッチ７２、駆動回路７５、処理回路７６、電気錠１３が接続されており、プログラムメモリ９２に記憶されたプログラムに基づいて処理を実行し、電気錠１３の制御を行っている。プログラムメモリ９２は、例えば、ＲＯＭ（ｒｅａｄ  ｏｎｌｙ  ｍｅｍｏｒｙ）などの不揮発性記憶装置から構成され、被識別キー１１の識別を行うためのプログラムが記憶されている。メモリ９３は、ＥＥＰＲＯＭ（ｅｌｅｃｔｒｉｃ−ｅｒａｓａｂｌｅ−ｐｒｏｇｒａｍｍａｂｌｅ  ＲＯＭ）などの書き換え可能な不揮発性記憶装置から構成され、被識別キー１１の識別を行うための登録データなどが記憶される。
【００３３】
図５はプログラムメモリ９２に記憶されたプログラムによるマイコン９１の処理フローチャートを示す。
【００３４】
マイコン９１は、ステップＳ１−１でプッシュスイッチ７２がオンし、被認識キー１１がシリンダ７１に挿入されたことを検出すると、ステップＳ１−２で被識別キー１１が最初に挿入されたキーか否かを判定する。このとき、マイコン９１は、メモリ９３を参照して、被識別キー１１の識別を行うための登録データが記憶されている場合には、既に挿入された被識別キー１１が存在すると判断できるため、最初に挿入された被識別キー１１ではないと判定し、被識別キー１１の識別を行うための登録データが記憶されていない場合には、既に挿入された被識別キー１１は存在していないと判断できるため、最初に挿入された被識別キー１１であると判定する。
【００３５】
マイコン９１は、ステップＳ１−２で最初に挿入されたキーであると判定した場合には、ステップＳ１−３でマスタキーを登録するためのマスタキー登録処理を行う。
【００３６】
ここで、マスタキー登録処理について説明する。
【００３７】
図６はマスタキー登録処理の処理フローチャートを示す。
【００３８】
マイコン９１は、まず、ステップＳ２−１で駆動回路７５に発光ダイオードアレイ７３の発光指示を行い、発光ダイオードアレイ７３を発光させる。次に、マイコン９１は、ステップＳ２−２で、リニアイメージセンサ７４で読み取られ、処理回路７６で処理された被識別キー１１の透過光に応じたデータを読み取る。
【００３９】
マイコン９１は、ステップＳ２−３で、駆動回路７５に発光ダイオードアレイ７３を消灯させる消灯指示を行い、発光ダイオードアレイ７３を消灯させる。
【００４０】
次にマイコン９１は、ステップＳ２−４で読み取ったデータをメモリ９３にマスタキーの登録データと記憶し、処理を終了する。
【００４１】
以上のようにして、例えば、認識装置１２の出荷後、最初にシリンダ７１に挿入された被識別キー１１がマスタキーとして登録される。
【００４２】
次に、マイコン９１は、ステップＳ１−４で、シリンダ７１に被識別キー１１が挿入されると、ステップＳ１−５で発光ダイオードアレイ７３を発光させ、その被識別キー１１の透過光を検出することにより、挿入された被識別キー１１がマスタキーか否かを判定する。
【００４３】
マイコン９１は、ステップＳ１−５で挿入された被識別キー１１がマスタキーであると判定した場合には、使用するキーの登録が終了、あるいは、使用するキーの登録は行わないと判定して、ステップＳ１−６で登録処理を終了する。また、ステップＳ１−５で挿入された被識別キー１１がマスタキーではないと判定した場合には、使用するキーの登録を行うと判定して、ステップＳ１−７で使用する被識別キー１１を登録するためのキー登録処理を実行する。
【００４４】
図７はキー登録処理の処理フローチャートを示す。
【００４５】
マイコン９１は、まず、ステップＳ３−１で駆動回路７５に発光ダイオードアレイ７３の発光指示を行い、発光ダイオードアレイ７３を発光させる。次に、マイコン９１は、ステップＳ３−２で、リニアイメージセンサ７４で読み取られ、処理回路７６で処理された被識別キー１１の透過光に応じたデータを読み取る。
【００４６】
マイコン９１は、ステップＳ３−３で、駆動回路７５に発光ダイオードアレイ７３を消灯させる消灯指示を行い、発光ダイオードアレイ７３を消灯させる。
【００４７】
次にマイコン９１は、ステップＳ３−４で読み取ったデータをメモリ９３に使用するキーの登録データと記憶し、キー登録処理を終了する。
【００４８】
以上のようにして、例えば、マスタキーの登録に続けて使用する被識別キー１１をシリンダ７１に挿入することにより使用するキーの登録を行うことができる。なお、ステップＳ１−７でキー登録処理が行われると、ステップＳ１−４に戻って処理を続ける。
【００４９】
また、マイコン９１は、ステップＳ１−２で、挿入された被識別キー１１が最初のキーでないと判定した場合、ステップＳ１−８でマスタキーによりダブルクリック操作が行われたか否かを判定する。なお、マスタキーのダブルクリック操作とは、マスタキーとして登録された被識別キー１１のシリンダ７１への挿脱を２回繰り返すことである。
【００５０】
マイコン９１は、ステップＳ１−８でマスタキーのダブルクリック操作ではないと判定されると、ステップＳ１−９で通常開錠動作を行う。
【００５１】
ここで、通常開錠動作に説明する。
【００５２】
図８は通常開錠動作の処理フローチャートを示す。
【００５３】
マイコン９１は、ステップＳ４−１でプッシュスイッチ７２がオンし、シリンダ７１に被識別キー１１が挿入されたことを認識すると、ステップＳ４−２で駆動回路７５を制御して、発光ダイオードアレイ７３を発光させる。マイコン９１は、ステップＳ４−３で処理回路７６から被識別キー１１の透過光に応じたデータを読み取り、ステップＳ４−４でメモリ９３に記憶された登録データと比較する。
【００５４】
マイコン９１は、ステップＳ４−５で読取データと登録データとが一致すると判定した場合には、ステップＳ４−６で電気錠１３に開錠通知を行う。また、マイコン９１は、ステップＳ４−５で読取データと登録データとが一致しない場合には、電気錠１３の制御は行わずに処理を停止する。
【００５５】
また、マイコン９１は、ステップＳ１−８でマスタキーのダブルクリック操作であると判定すると、ステップＳ１−１０で追加登録処理を行う。
【００５６】
ここで、追加登録処理について説明する。
【００５７】
図９は追加登録処理の処理フローチャートを示す。
【００５８】
マイコン９１は、ステップＳ５−１で、シリンダ７１に被識別キー１１が挿入されると、ステップＳ５−２で駆動回路７５を駆動して、発光ダイオードアレイ７３を発光させる。マイコン９１は、ステップＳ５−２で処理回路７６からの被識別キー１１の透過光に応じた読取データを読み取る。マイコン９１はステップＳ５−４で発光ダイオードアレイ７３を消灯し、ステップＳ５−５で読取データをメモリ９３に登録する。以上によりキーデータの追加登録が完了する。
【００５９】
なお、マイコン９１は、ステップＳ５−６でマスタキーによるダブルクリック操作後、一定時間経過してもシリンダ７１に新たに被識別キー１１が挿入されないと、ステップＳ５−７でメモリ９３に記憶された登録データを全て消去する。これによって、メモリ９３は出荷時の状態に初期化され、新たにマスタキーなどの登録を行うことが可能となる。
【００６０】
なお、本実施例では、被識別キー１１の所定の回転角度での透過光を１次元的に検出して、判定を行ったが、被識別キー１１を回転させて２次元的に透過光を検出するようにしてもよい。
【００６１】
図１０は識別装置の変形例のブロック構成図を示す。同図中、図３と同一構成部分には同一符号を付し、その説明は省略する。
【００６２】
本変形例は、被識別キー１１１及び識別装置１１２の構成が図３とは相違する。
【００６３】
本変形例の被識別キー１１１は、キー部１３１の構成が図２とは相違しており、切欠部５１がない円柱状に成形されている。また、キー部１３１には、略中央の周囲に沿って、帯状に黒色のパターン１４１が印刷されている。
【００６４】
図１１はパターン１４１の展開図を示す。
【００６５】
パターン１４１は、スタート部１５１、クロック部１５２、エンド部１５３を含む構成とされている。処理回路１２２は、スタート部１５１からエンド部１５３までの間にクロック部１５２のパターンに応じて生成されるクロックに同期して１ライン毎に読み取られた検出信号を合成することにより２次元の検出信号を生成し、ディジタルデータに変換して制御部６２に供給する。
【００６６】
図１２は２次元の検出信号の波形図を示す。
【００６７】
図１２において、ｘ軸はラインイメージセンサ７４の延在方向、すなわち、矢印Ａ方向の位置、ｙ軸はキーの回転軸方向、すなわち、矢印θ方向の位置、ｚ軸はラインイメージセンサ７４の出力検出信号の強度を示す。
【００６８】
図１２に示すように２次元の検出信号の一致を見ることにより、非常に複雑なパターンとなるため、容易に複製することはできない。
【００６９】
制御回路６２では、処理回路１２２から図１２に示すような２次元の検出データの供給を受け、メモリ９３に登録するとともに、読み取られた２次元の検出データにより開錠通知を行う。
【００７０】
このとき、パターン１４１のクロック部１５２で生成されるクロックに応じてラインイメージセンサ７４から検出信号を取り込むタイミングを制御しているので、パターン１４１は正確でなくてもよい。ただし、登録時と入室時とで同じである必要はある。
【００７１】
また、本変形例では、パターン１４１を用いて検出信号の取り込みのタイミングを検出したが、被識別キー１１のキー部３１を透過する光は、回転角度θに応じて変化する。このため、サンプリング時に検出ライン前後で同じ検出信号が出現した場合には、一方の信号を捨てる、いわゆる、間引きを行うことにより回転速度によらず、一定な２次元検出信号を取得するようにしてもよい。この場合、複数ラインの検出信号を比較して間引きを行うので、パターン１４１が不要となる。また、全周囲の検出信号の一致で識別を行うと、被識別キー１１を３６０°以上回転させる必要がある。このため、部分一致で識別を行うようにすることにより入室時の被識別キー１１の回転角を小さくできる。
【００７２】
また、本変形例では、特に、ロック機構を設けなかったが、通常の錠のようにロック機構を設け、回転角度を規定するようにしてもよい。
【００７３】
さらに、シリンダ７１を固定の外シリンダと、回転可能とされた内シリンダとで構成し、内シリンダの回転をロータリエンコーダなどで検出し、検出信号の読取タイミングなどを制御するようにしてもよい。
【００７４】
また、本実施例では、被識別装置としてキーを例に説明を行ったが、タグなどに適用することもできる。
【００７５】
図１３は本発明の第２実施例のシステム構成図を示す。
【００７６】
本実施例の識別システム２００は、被識別タグ２０１及び識別装置２０２から構成される。
【００７７】
被識別タグ２０１は、キー部３１と同様に、透明部材４１に反射材４２、遮蔽材４３などの小片を多数、混入し、識別対象２１１の表面に凸状に固着した構成とされている。あるいは、所定の形状に成形後、貼付するようにしてもよい。
【００７８】
識別対象２１１には、位置決め部２１２が形成されている。位置決め部２１２は、穴あるいはボスであり、識別装置２０２と係合し、識別対象２１１と識別装置２０２との位置決めを行うものである。
【００７９】
識別装置２０２は、例えば、据え置き型であり、位置決め部２２１、光源部２２２、２次元イメージセンサ２２３、駆動回路２２４、処理回路２２５、制御部２２６を含む構成とされている。
【００８０】
位置決め部２２１は、ボスあるいは穴から構成されており、識別対象２２１の位置決め部２１２と係合して識別対象２１１の位置決めを行う。識別対象２２１が位置決め部２１２と識別装置２０２の位置決め部２２１とが位置決めされると、制御部２２６により駆動回路２２４が制御され、光源部２２２が発光する。
【００８１】
光源部２２２は、発光ダイオードなどから構成され、駆動回路２２４からの駆動信号により発光し、被識別タグ２０１に光を照射する。光源部２２２から出射された光は、被識別タグ２０１に照射される。被識別タグ２０１では、光源部２２２からの光を透明部材４１で屈折または反射させる。また、透明部材４１の内部で、導入された光が反射材４２により反射され、遮蔽材４３で吸収される。このため、被識別タグ２０１の反射光は非常に複雑な強度分布を持つことになる。
【００８２】
被識別タグ２０１で反射された光は、２次元イメージセンサ２２３に入射される。２次元イメージセンサ２２３は、被識別タグ２０１からの反射光を二次元画像をとして取得し、２次元画像信号を出力する。２次元イメージセンサ２２３から出力された２次元画像信号は処理回路２２５に供給される。
【００８３】
処理回路２２５は、２次元画像信号からノイズなどを除去し、ディジタルデータに変換する。処理回路２２５で変換されたディジタルデータは、制御部２２６に供給される。制御部２２６は、制御部６２と同様に登録及び識別のための処理を行う。
【００８４】
なお、本実施例では、識別タグ２０１を識別対象２１１の表面から突出させて硬化させたが、識別対象２１１に凹部を形成し、埋め込むようにしてもよい。
【００８５】
図１４は被識別タグ２０１の変形例の構成図を示す。
【００８６】
本変形例の被識別タグ２３１は、識別対象２４１の所定の位置に設けられた凹部２５１を、反射材４２、遮蔽材４３などの小片を多数、混入された未硬化状態の透明部材４１で埋めて、その後、透明部材４１を硬化させた構成とされている。
【００８７】
本変形例によれば、被識別タグ２３１が識別対象２１１に埋め込まれるため、搬送中に離脱したりすることがなくなる。また、被識別タグ２３１を識別対象２１１から取り出そうとすると、被識別タグ２３１が破損することになるため、被識別タグ２３１を識別対象２１１から取り出し、他の識別対象に埋め込むなどの偽装が不可能となる。
【００８８】
また、本実施例では、識別装置２０２を据え置き型としたが、ハンディ型としてもよい。
【００８９】
図１５は本発明の第２実施例の変形例のシステム構成図を示す。同図中、図１３と同一構成部分には同一符号を付し、その説明は省略する。
【００９０】
本変形例では、識別装置３０１を把持して、その位置決め部２２１を識別対象２１１の位置決め部２１２に係合させ、識別装置３０１を識別対象２１１に位置決めして、被識別タグ２０１を読み取り、識別を行う。
【００９１】
本変形例によれば、識別対象２１１のサイズが大きく、容易に移動できない場合に、識別装置３０１側を移動させて被識別タグ２０１を読み取ることができる。
【００９２】
なお、本変形例で用いられた被識別タグ２０１を図１４に示す埋め込み式としてもよい。
【００９３】
なお、本実施例のキー部３１１、被識別タグ２０１、２３１は、透明部材４１に反射材４２及び遮蔽材を４３混入した構成としたが、どちらか一方のみを混入するよにしてもよい。さらに、図３、図１０に示す実施例では、リニアイメージセンサによりキー部の透過光を検出するようにしたが、２次元イメージセンサによりキー部を透過光を検出するようにしてもよい。２次元イメージセンサを用いることにより検出信号が更に複雑にできるので、セキュリティ性を向上できる。
【００９４】
【発明の効果】
上述の如く、本発明によれば、光を透過する透過部材に、反射物質及び／又は遮蔽物質を混入させた被識別手段に光を照射し、被識別手段を透過した光を検出し、その検出信号に基づいて被識別手段を識別することにより、被識別手段の複製が困難となり、セキュリティ性を向上させることができるなどの特長を有する。
【００９５】
また、本発明によれば、安価な材料で簡単に製造できるため、導入が容易となるなどの特長を有する。
【図面の簡単な説明】
【図１】本発明の一実施例のシステム構成図である。
【図２】被識別キー１１の構成図である。
【図３】識別装置１２の構成図である。
【図４】制御部６２のブロック構成図である。
【図５】プログラムメモリ９２に記憶されたプログラムによるマイコン９１の処理フローチャートである。
【図６】マスタキー登録処理の処理フローチャートである。
【図７】キー登録処理の処理フローチャートである。
【図８】通常開錠動作の処理フローチャートである。
【図９】追加登録処理の処理フローチャートである。
【図１０】識別装置の変形例のブロック構成図である。
【図１１】パターン１４１の展開図である。
【図１２】２次元の検出信号の波形図である。
【図１３】本発明の第２実施例のシステム構成図である。
【図１４】被識別タグ２０１の変形例の構成図である。
【図１５】本発明の第２実施例の変形例のシステム構成図である。
【符号の説明】
１  開錠システム
１１  被識別キー、１２  識別装置、１３  電気錠
２１  部屋、２２  扉
３１  キー部、３２  鍔部、３３  ツマミ部
４１  透明部材、４２  反射材、４３  遮蔽材
５１  切欠部
６１  検出部、６２  制御部
７１  シリンダ、７２  プッシュスイッチ、７３  発光ダイオードアレイ
７４  ラインイメージセンサ、７５  駆動回路、７６  処理回路
８１  平面部、８２、８３  開口部
９１  マイコン、９２  プログラムメモリ、９３  メモリ
【図１】
2004353193.tif 000003
【図２】
2004353193.tif 000004
【図３】
2004353193.tif 000005
【図４】
2004353193.tif 000006
【図５】
2004353193.tif 000007
【図６】
2004353193.tif 000008
【図７】
2004353193.tif 000009
【図８】
2004353193.tif 000010
【図９】
2004353193.tif 000011
【図１０】
2004353193.tif 000012
【図１１】
2004353193.tif 000013
【図１２】
2004353193.tif 000014
【図１３】
2004353193.tif 000015
【図１４】
2004353193.tif 000016
【図１５】
2004353193.tif 000017